(57)【要約】【課題】  ナンバーディスプレイで通知される相手先番号を転送条件に設定した場合、番号非通知などで番号通知がなかった場合に、転送が出来なくなることを防ぐ。【解決手段】  ナンバーディスプレイでの番号通知以外の相手先番号通知にも対応し、ナンバーディスプレイでの番号が不一致であっても、他の手段で通知された番号を比較する手段を有する。【選択図】  図１
2009225278.tif 000002
【特許請求の範囲】
【請求項１】
通信網キャリアが提供する発信回線番号通知サービスに対応し、受信した画像のデータを任意の宛先に転送する転送機能を持つ画像伝送装置において、
発信回線番号通知サービス以外の通信手段で通知される発信回線番号を検出する手段を持ち、転送機能の複数ある転送条件の一つとして発信回線番号を予め登録する登録手段と、その登録手段で登録された番号を、発信回線番号通知サービスで受信した発信回線番号だけではなく、他の通信手段で通知される発信回線番号の複数の発信回線番号と組み合わせて比較する比較手段を有することを特徴とする画像伝送装置。
【請求項２】
請求項１に記載の画像伝送装置において、
複数の発信回線番号通知手段は、発信回線番号通知サービスでの発信回線番号（A）と、他の通信手段で発信回線番号（B）であり、複数の組み合わせ比較手段は、発信回線番号通知サービスでの発信回線番号（A）の比較を優先して行う手段であって、最初に発信回線番号通知サービスで通知される発信回線番号（A）と登録手段で登録された番号を優先的に比較し、一致したら転送条件成立とし、不一致の場合は、他の通信手段で通知された発信回線番号（B）と登録された番号を比較し、一致した場合には転送条件成立、どちらも不一致であった場合に転送条件不成立とする比較手段であることを特徴とする画像伝送装置。
【請求項３】
請求項１、又は請求項２に記載の画像伝送装置において、他の通信手段での発信回線番号とは、ファクシミリ通信の手順信号で通知される番号であることを特徴とする画像伝送装置。
【請求項４】
請求項１に記載の画像伝送装置において、複数の転送条件とは、発信回線番号のほかに複数回線収容時の着信回線番号、ファクシミリ通信で通知されるパスワード、Fコードであることを特徴とする画像伝送装置。
【発明の詳細な説明】
【技術分野】
【０００１】
本発明は、予めユーザーが設定した転送条件と着信時又は通信時に通知される情報を元に、受信した画像などのデータを任意な宛先へ転送する転送手段を持つ画像伝送装置に関するもので、詳しくは、転送条件として相手先の発信回線番号を用いる場合の転送手段での転送条件比較手段に関するものである。
【背景技術】
【０００２】
転送条件の発信回線番号を用いる従来例としては、静岡日本電気の特許第３１５７７９３号公報がある。これは、発信回線番号通知として、通信キャリアが用意したナンバーディスプレイでの発信回線番号通知手段で通知される番号とユーザーが予め設定した番号を比較して転送有無を決定するもので、更に、複数の発信回線番号通知手段で通知される番号をグループ化して登録し、転送先も同じグループに属する場合にのみ転送を許可することで、転送先を限定することで誤送信を防止し、セキュリティー機能を高めている。
【０００３】
しかしながらこの文献では、ナンバーディスプレイでの発信回線番号通知しか使用しておらず、他の手段で通知される発信回線番号に関しては何ら述べられていない。
【０００４】
本発明は、複数の手段で通知される発信回線番号を用いた転送に関するもので、複数ある通知手段の有効活用が目的であり、上記文献とは目的も異なる。
【特許文献１】特許第３１５７７９３号公報
【発明の開示】
【発明が解決しようとする課題】
【０００５】
本発明は、通信回線を収容し、受信したデータを予め設定された条件をもとに任意の宛先に通信回線などを通じて転送する転送手段を持つ画像伝送装置に関する。
【０００６】
回線としては、公衆電話網（PSTN：Public Switched Telephone Network）であり、通信手段はファクシミリによる画像伝送手段を指す。
【０００７】
一般的な画像伝送装置の構成例を図１に示す。
【０００８】
101は原稿を光学的に読み取って画像データに変換する画像入力部、102は画像データを記録紙などに記録する電子写真方式などの画像出力部、103は装置を制御するCPUなどからなるコントローラ、104は画像データや、コントローラ103のプログラムコード／データを格納するメモリ、105は画像データなどのデータを格納するハードディスク、106は本装置をネットワークへ接続するためのネットワークインターフェイス（I/F）、107はLCDなどから構成される表示部、108はキーなどからなる操作部、110はFAX機能を制御するFAX制御部であり、これから公衆回線に接続される。図面は、公衆回線を2チャンネル収容した場合を示しており、FAX制御部からは公衆回線113、114にそれぞれ回線１、回線２として収容されている。
【０００９】
詳細には説明しないが、このような画像伝送装置でのFAX送受信動作は、コントローラ103による制御に基づき、画像入力部101で画像を読み込み、読み込んだ画像をメモリ103やハードディスク105へ蓄積し、FAX制御部110を制御して、決められた番号に発呼し、回線を接続した上で読み込み蓄積した画像を、ファクシミリ手順で送信したり、回線113、114から着信を検出し、FAX制御部110からの信号に基づき回線を閉結し、相手から送られてくる画像信号をファクシミリ手順で受信し、受信した画像データを、メモリ103やハードディスク105へ蓄積し、蓄積したデータを、画像出力部102で紙などの媒体に記録せしめるものである。
【００１０】
さらに、図ではLAN（Local Area Network）のインターフェイスを持っており、FAX以外にもLANを伝送媒体とした画像などのデータ伝送（Internet FAX、E-mail送受信、FTP（File Transfer Protocol））なども可能である。
【００１１】
このような画像伝送装置の便利な機能として、転送機能がある。これは、受信したデータを予め設定された条件と比較し、この条件が一致した場合に、予め設定された宛先に、データを転送することが出来る機能である。
【００１２】
次に、このような一般的な画像伝送装置の転送設定に関して説明する。
【００１３】
図２は、画像伝送装置の表示、操作部の画面状態を示しており、この場合、画面はタッチパネルとなっており、画面に出力されているソフトボタンを押下することで設定が行えるようになっている。
【００１４】
まず、ユーザーが図示しない、ユーザーモードキー（ユーザー設定モードへの移行を意味するキー）を押下すると場面S201へ移行し、様々なユーザー設定項目選択のトップ画面に遷移する。この画面では、例として、機器共通な「共通仕様設定」、システム管理用の「システム管理設定」、プリンタの使用を設定する「プリンタ仕様設定」、様々なタイマー機能を設定する「タイマー設定」、コピー仕様を設定する「コピー仕様設定」、送信宛先を設定する「宛先表仕様設定」、機器の内部調整やプリンタ、スキャナのクリーニングなどの仕様を設定する「調整／クリーニング」、FAXなどの送信／受信の仕様を設定する「送信／受信仕様設定」、レポートの仕様を設定する「レポート仕様設定」、画像などを蓄積するボックスの使用を設定する「ボックス仕様設定」のソフトボタンが表示されている。この画面でユーザーが表示されているソフトボタンに触れることで、そのボタンが押下されたと見なし、その各詳細な仕様設定に遷移する。
【００１５】
図では、送信／受信仕様設定のボタンが反転して描かれておりこの「送信／受信仕様設定」が選択されている場合を示している。
【００１６】
なお、各画面共通で、画面の右下に「閉じる」ボタンがあるが、このボタンが押下されたときには、その画面の上位画面に戻る。
【００１７】
S201で「送信／受信仕様設定」が押下されると、S202の＜送信／受信仕様設定＞の詳細画面に遷移し、ここでは送信の仕様を設定する「送信仕様設定」、受信の仕様を設定する「受信仕様設定」、転送の仕様を設定する「転送仕様設定」の各ソフトボタンが表示され、図では、「転送仕様設定」ボタンが選択されている場合を示している。
【００１８】
ここで「転送仕様設定」が押下されると、場面が次の＜転送仕様設定＞に遷移する。更に、場面S202で「閉じる」ボタンが押下されると、その上位画面であるS201＜ユーザーモード＞設定画面に戻る。
【００１９】
場面S203は、転送の仕様を設定するもので、下記の転送条件が設定できる。
【００２０】
・受信回線「回線１」、「回線２」「回線共通」
先の図１で述べたように、画像伝送装置は、通信回線としてPSTN回線2本を収容しており、このどちらの回線で受信したかを転送条件に設定するもので、「回線１」は図１の回線1で受信した時を、「回線２」は図1の回線２で受信した時を、「回線共通」は回線１、回線２の受信回線に関係なくどちらの回線で受信した時を設定する。
【００２１】
図では、回線１での受信を転送条件として設定している。
【００２２】
・相手先番号「ｘｘ−ｘｘｘｘ−ｘｘｘｘ」
これは、ナンバーディスプレイなどのサービスで回線キャリアから通知さるか、もしくはFAX通信信号で通知される、相手先（発信元）の回線番号を転送条件として設定するもので、番号入力は図示しないテンキーなどのハードキーで行われるが、図では、相手先番号（発信回線番号）として「０３−１１１１−２２２２」が入力されている場合を示す。
【００２３】
また、相手先番号を転送条件にしない場合には、後述するFコード、パスワードでも例として示すが、条件「なし」の設定も行える。さらに、全ての番号を比較するのではなく、一部の番号を設定し、この一部の設定値が一致した時に条件一致とする方法もある（例えば設定値は「１１１１」しか行わず、通知された発信回線番号の一部に「１１１１」がある場合に条件成立とする方法もある）。
【００２４】
・Fコード、パスワード
これらは、FAX通信の規格で規定されているもので、FAX通信では、先に述べた発信回線番号のほかに、Fコード、パスワードという独立した任意の文字（数字）列を通知するものである。
【００２５】
ここでは、このFコード、パスワードも転送条件として設定できる。
【００２６】
図では、設定欄に「なし」との設定となっており、これらは転送条件の比較対照にしないと設定されていることを意味する。
【００２７】
・転送先番号「ｙｙ−ｙｙｙｙ−ｙｙｙｙ」
これは、先に述べた、受信回線、相手先番号、Fコード、パスワードなどの転送条件が一致した場合に、受信したデータを転送する転送先の番号の設定である。
【００２８】
図では、転送先として電話番号が「０３−２２２２−３３３３」が設定されており、条件が一致した場合に、受信したデータを、FAX通信で設定された相手先番号に送信（転送）する。
【００２９】
ここでは、転送する通信をFAXとし、転送先番号を電話番号としているが、FAX以外のInternet FAX、E-mail、FTPなどの通信手段を持っていればその手段での転送先（URLアドレス、E-mailアドレスなど）も設定可能である。
【００３０】
ここでは、例としてFAX転送を示している。
【００３１】
以上設定した転送条件では、
・受信回線が「回線１」
・相手先番号が「０３−１１１１−２２２２」
に一致した場合に、受信したデータを、FAX通信を利用して
・転送先番号「０３−２２２２−３３３３」
へ転送することを意味する。
【００３２】
このように、転送条件を設定しその条件に一致した場合に、任意の宛先に転送するのが転送機能である。
【００３３】
図２の例では、転送条件が1つしか入力できない例を示したが、条件画面を複数用意することで、複数の転送条件を設定できるものもある。
【００３４】
この転送機能は、例えば、センターマシンとしてこの機械を使用し、相手先の番号に従って転送先を割り振って複数のクライアントの機械にデータを配信したり、あるいは、転送先として複数の転送先をグループなどで設定し、受信したデータを複数の宛先に配信するなど、とても便利な機能である。
【００３５】
しかしながら、このような転送手段で指定できる相手先番号（発信回線番号）は、1つのみで、複数の通信手段で通知される発信回線番号に対応していなかった。
【００３６】
FAX受信の場合は、網キャリアサービスであるナンバーディスプレイでの発信番号通知や、FAX通信の手順信号で通知される発信回線番号があり、これらは独立していて同時に通知されることも可能であるが、発信回線番号として1つのみしか設定できないと下記の不都合が生じる。
【００３７】
・ナンバーディスプレイによる発信回線番号のみを転送条件とした場合
ナンバーディスプレイサービスでは、必ずしも番号が通知されるとは限らず、番号のほかに、「番号非通知」「公衆電話」などがある。
【００３８】
番号非通知とは発信ユーザーが番号を通知していない場合で、これは発信ユーザーが発信時に特定の番号を頭に打つことでも可能である。
【００３９】
確かに設定した相手先回線番号からの着信であっても、発信ユーザーが番号非通知を選択された場合には、着信時に番号が通知されないため、転送条件不一致として転送が行われない。
【００４０】
・FAX通信手順信号による発信回線番号のみを転送条件とした場合
FAX通信手順信号で通知される番号は、発信機の機会にユーザーが設定されたもので、ユーザーの設定ミスや、故意的な設定変更なども考えられ、その信憑性は高くない。これに対して、網キャリアから通知される番号は、網に登録されている番号を網側で判断したものであり、確実にその番号から送られたと判断できる信憑性の高いものである。
【００４１】
FAX手順信号のみの番号のみであれば、この信憑性の高いナンバーディスプレイでの通知番号が利用できない。
【課題を解決するための手段】
【００４２】
本発明は、上記の課題を解決するもので、複数の通信手段で通知される複数の発信回線番号を組み合わせて転送条件とする手段を設けたもので、更に、この組み合わせを複雑とせずにより簡易な手段で選択出来るように改善するものである。
【００４３】
改善ポイントは、キャリアから通知される発信回線番号を優先で比較するモードと、FAX通信手順で通知される発信回線番号のみで比較する2つのモードのみを装備したことにある。
【発明の効果】
【００４４】
複数の通信手段で通知される複数の発信回線番号を組み合わせて転送条件とする手段を設けたもので、いかなる手段で通知された番号でも着実に転送条件に一致させることが出来、確実な転送を可能とするメリットがある。
【発明を実施するための最良の形態】
【００４５】
次に、本発明の詳細を実施例の記述に従って説明する。
【実施例１】
【００４６】
次に本発明の実施例を詳細に説明する。
【００４７】
本発明を実施する画像伝送装置の外略構成は先に従来例で述べた図１と同じである。
【００４８】
本発明は、転送手段での転送設定手段に特徴があるため、まずは、転送設定場面を、図３を用いて説明する。
【００４９】
図３において、S300-S302は、図２で説明したS200-S202と同じである。
【００５０】
まず、ユーザーが図示しない、ユーザーモードキー（ユーザー設定モードへの移行を意味するキー）を押下すると場面S301へ移行し、様々なユーザー設定項目選択のトップ画面に遷移する。この画面では、例として、機器共通な「共通仕様設定」、システム管理用の「システム管理設定」、プリンタの使用を設定する「プリンタ仕様設定」、様々なタイマー機能を設定する「タイマー設定」、コピー仕様を設定する「コピー仕様設定」、送信宛先を設定する「宛先表仕様設定」、機器の内部調整やプリンタ、スキャナのクリーニングなどの仕様を設定する「調整／クリーニング」、FAXなどの送信／受信の仕様を設定する「送信／受信仕様設定」、レポートの仕様を設定する「レポート仕様設定」、画像などを蓄積するボックスの使用を設定する「ボックス仕様設定」のソフトボタンが表示されている。この画面でユーザーが表示されているソフトボタンに触れることで、そのボタンが押下されたと見なし、その各詳細な仕様設定に遷移する。
【００５１】
図では、送信／受信仕様設定のボタンが反転して描かれておりこの「送信／受信仕様設定」が選択されている場合を示している。
【００５２】
S301で述べた各機能ごとの仕様設定はあくまで例であって、本発明はこの機能にのみ限定するものではない。
【００５３】
また、各画面共通で、画面の右下に「閉じる」ボタンがあるが、このボタンが押下されたときには、その画面の上位画面に戻る。
【００５４】
S301で「送信／受信仕様設定」が押下されると、S302の＜送信／受信仕様設定＞の詳細画面に遷移し、ここでは送信の仕様を設定する「送信仕様設定」、受信の仕様を設定する「受信仕様設定」、転送の仕様を設定する「転送仕様設定」の各ソフトボタンが表示され、図では、「転送仕様設定」ボタンが選択されている場合を示している。
【００５５】
ここで「転送仕様設定」が押下されると、場面が次の＜転送仕様設定＞に遷移する。更に、場面S302で「閉じる」ボタンが押下されると、その上位画面であるS301＜ユーザーモード＞設定画面に戻る。
【００５６】
次のS303が本発明での特徴である、＜転送仕様設定＞場面となる。
【００５７】
本発明の特徴はこの中でも、相手先番号（発信回線番号）の選択の仕方に特徴を持ち、その他の設定に関しては、図２のS203と同等なものとする。
【００５８】
ここでの設定は以下の設定を行うものである。
【００５９】
・受信回線「回線１」、「回線２」「回線共通」
複数回線を収容した場合の受信回線条件設定である。
【００６０】
図では、回線１での受信を転送条件として設定している。
【００６１】
・相手先番号「ｘｘ−ｘｘｘｘ−ｘｘｘｘ」
これは、ナンバーディスプレイなどのサービスで回線キャリアから通知さるか、もしくはFAX通信信号で通知される、相手先（発信元）の回線番号を転送条件として設定するもの。
【００６２】
番号入力は図示しないテンキーなどのハードキーで行われるが、図では、相手先番号（発信回線番号）として「０３−１１１１−２２２２」が入力されている場合を示す。
【００６３】
また、相手先番号を転送条件にしない場合には、後述するFコード、パスワードでも例として示すが、条件「なし」の設定も行える。さらに、全ての番号を比較するのではなく、一部の番号を設定し、この一部の設定値が一致した時に条件一致とする方法もある（例えば設定値は「１１１１」しか行わず、通知された発信回線番号の一部に「１１１１」がある場合に条件成立とする方法もある）。
【００６４】
本発明ではこの番号指定の右側に「ND優先」、「TSI」と呼ばれる設定手段を用意した。
【００６５】
ND優先のNDとはNumber Displayの略で、網キャリアが提供するナンバーディスプレイ（発信者番号通知とモ呼ばれる）のことであり、このサービスにより網キャリアから発信回線番号が通知される。
【００６６】
TSIとは、Transmitting Subscriber Identification の略で、FAX通信の手順信号を指し、この信号に載せて、発信回線番号が通知される。
【００６７】
このNDとTSIの仕組みについては後で簡単に説明する。
【００６８】
ここでは、2つの選択肢がある。
【００６９】
・ND優先：NDで通知される番号を登録した番号と優先的に比較する方法
・TSI：TSIで通知される番号のみを登録した番号と比較する方法
→この2つの方法に関しては、後で詳細に説明する。
【００７０】
なお、ナンバーディスプレイは網キャリアがサポートしているサービスであるが、このサービスを受ける為には網キャリアとの契約が必要になる。
【００７１】
当然、契約無し（すなわちナンバーディスプレイを非採用）とすることも可能で、これは回線毎に機器を扱うユーザーが選択できるものである。
【００７２】
従って、これに対応すべく、装置には収容回線毎にユーザーがナンバーディスプレイ契約の有無の設定出来るようにすることも考えられるが、該当の回線がナンバーディスプレイ非採用であれば、「ND優先」「TSI」の設定は無意味になるため、ボタン自体をグレーアウトするようにしても良い。
【００７３】
・Fコード、パスワード
FAX通信で規定された、Fコード、パスワードを転送条件として設定するもので、図では「なし」との設定なので、受信条件にしないことを示している。
【００７４】
・転送先番号「ｙｙ−ｙｙｙｙ−ｙｙｙｙ」
転送条件が一致した場合に、受信したデータを転送する転送先の番号の設定である。
【００７５】
図では、転送先として電話番号が「０３−２２２２−３３３３」が設定されており、条件が一致した場合に、受信したデータを、FAX通信で設定された相手先番号に送信（転送）する。
【００７６】
ここでは、転送する通信をFAXとし、転送先番号を電話番号としているが、FAX以外のInternet FAX、E-mail、FTPなどの通信手段を持っていればその手段での転送先（URLアドレス、E-mailアドレスなど）も設定可能である。
【００７７】
ここでは、例としてFAX転送を示している。
【００７８】
特に本発明では転送通信手段をFAXに限るものではない。
【００７９】
以上設定した転送条件では、
・受信回線が「回線１」
・相手先番号が「０３−１１１１−２２２２」
に一致した場合に、受信したデータを、FAX通信を利用して
・転送先番号「０３−２２２２−３３３３」
へ転送することを意味する。
【００８０】
このように、転送条件を設定しその条件に一致した場合に、任意の宛先に転送するのが転送機能である。
【００８１】
図３の例では、転送条件が1つしか入力できない例を示したが、条件画面を複数用意することで、複数の転送条件を設定できるようにしても良い。本発明は、この転送上件数などを限定するものではない。
【００８２】
次に、図４を用いて、登録した相手先番号と、ナンバーディスプレイ、FAX通信手順信号でそれぞれ通知される発信回線番号の比較手段の動作を示すフローチャートである。
【００８３】
本発明は、発信回線番号の比較時のものであるため、図２、図３で説明した他の転送条件（受信回線、Fコード、パスワードなど）に関しては説明を省略する。
前提として、前述した各種転送設定の設定値（相手先番号など）や、画像伝送装置に着信があった場合に、ナンバーディスプレイでの通知番号と、TSIでの通知番号は予めメモリなどの記憶媒体に記憶されているものとする。
【００８４】
また、転送手段としては、一旦転送すべき画像データを全て受信し蓄積した後に転送する蓄積型の転送と、受信したデータを受信しつつ転送するリアルタイム型の転送があるが、本発明はこれにとらわれるものではない。断りのない限り、今後の説明は蓄積型の転送の場合に関して述べる。
【００８５】
蓄積型の転送なので、データ受信（FAX受信）は既に完了しており、既に、ナンバーディスプレイで通知される発信回線番号と、FAX手順のTSIで通知される発信回線番号はそれぞれメモリなどに記憶されている。
【００８６】
受信が終わり、転送条件の比較が始まり、さらに相手先番号の転送条件の比較が始まると、S400に遷移し、まず、転送設定の相手先番号の比較手段として、「ND優先」が設定されているかどうかを判断し、「ND優先」が設定されていた時には、S401に遷移し、ナンバーディスプレイで通知された番号（ND番号）と予め登録した相手先番号を比較し、結果が一致した場合には、S403で、転送が指示される。
【００８７】
S401でND番号と登録した相手先番号が一致しなかった時には、S402へ進み、今度はTSIで通知された番号と登録した相手先番号を比較し、これが一致した時には、S403へ進み転送が指示される。
【００８８】
S402での比較でも不一致だった場合には、ND番号、TSI番号共に不一致であり、転送せずに例えば受信した画像をプリント出力する（S404）。
【００８９】
次に、S400で「ND優先」設定になっていない、すなわち「TSI」設定であったと判断された時には、ND番号での比較をせずに、S402へ進み、TSI番号でのみ比較を行い、一致すれば転送指示（S402）、不一致であればプリント指示（S404）を行う。
【００９０】
このように、ND優先が選択された場合には、信憑性の高い、ND番号を転送条件として使用できるため、誤転送等のない安全な転送が行え、更に、発信相手が何らかの都合でND番号を通知してこなかった場合にも、TSI番号を用いて条件比較を行うことで、確実に転送することが可能となる。
【００９１】
更に、ND番号を使用せず、TSIのみの比較を用意しており、従来ナンバーディスプレイを使用していなかったシステムを使用していたユーザー環境に対して、従来型のTSIでの転送条件を継承したシステムを作れるメリットがある。
【００９２】
すなわち、本発明によれば、最適な転送条件比較が行え、誤った転送を防ぐだけではなく、確実な転送を行えるメリットがある。
【００９３】
最後に、ナンバーディスプレイでの発信回線番号の通知の仕組みと、FAX手順信号TSIでの発信回線番号通知の仕組みを簡単に説明する。
【００９４】
図５は、電話回線で接続されている、画像伝送装置（機器）と網キャリアの局との信号形態を示している。
【００９５】
まずは、局は接続相手（着信相手）が決まると、CAR信号と呼ばれる情報受信端末起動信号を送出し、これを受けた端末は、一次応答（回線閉結）を行う。この回線閉結を受けた局は、発信回線番号を決められた変調を行い端末に送信し、これを端末が受け、変調波を復調し、発信相手の回線番号を得る。この番号を受け終わった端末は、受信終了を回線開放を行うことで局に通知し、局はこれを受けると実際の電話の呼び出し信号を送出し、端末の呼び出しを行う。
【００９６】
このように、ナンバーディスプレイサービスでは、実際の呼び出し信号（電話が接続されている場合は、この信号に同期して電話が鳴動する）を受ける直前に、発信してきた相手の回線番号を知ることができる。
【００９７】
この呼び出し信号に応答して、端末が二次応答（回線閉結）を行うと、ここで初めて呼接続が完了し通話状態となる。ここから先がFAXでの通信信号となる。
【００９８】
まず、発信した端末は局を通してFAXの初期識別信号であるCNG信号を送出し、これを端末が受けると、CNG信号への応答信号であるCED信号を返答し、これに続けて、受信側のFAX端末の能力などや、非標準機能情報、受信側端末の回線番号を、それぞれDIS、NSF、CSI信号で通知する。
【００９９】
これを受けた発信端末は、FAX送信命令、非標準機能のセットアップ、発信側の回線番号を、それぞれDCS、NSS、TSI信号で送信する。
【０１００】
このTSI信号の中に、発信者が発信端末に登録した発信側の回線番号（発信回線番号）が含まれ、これにより受信端末は相手機の番号を知ることができる。
【０１０１】
この後は、通常のFAX通信手順へと進むが、説明は割愛する。
【０１０２】
このように、FAX通信の手順信号でも発信側の回線番号を知ることができる。
【０１０３】
尚、上記のFAX通信信号中、CNG、CEDはトーナル信号、DIS、NSF、CSI、DCS、NSS、TSIは、予め変復調手段が決められた変調波（モデム信号）である。
【０１０４】
因みに、信号は以下の略称である。
【０１０５】
・NSF：Non-Standard Facilities
・DIS：Digital Identification Signal
・CSI：Called Subscriber Identification
・DCS：Digital Command Signal
・NSS：Non-Standard facilities Set-up
・TSI：Transmitting Subscriber Identification
【図面の簡単な説明】
【０１０６】
【図１】画像伝送装置の概略構成図。
【図２】従来の画像伝送装置の転送設定画面例。
【図３】本発明の画像伝送装置の転送設定画面例。
【図４】本発明の転送条件比較の動作を示すフローチャート。
【図５】ナンバーディスプレイ、FAX通信信号での発信回線番号通知シーケンス。
【図１】
2009225278.tif 000003
【図２】
2009225278.tif 000004
【図３】
2009225278.tif 000005
【図４】
2009225278.tif 000006
【図５】
2009225278.tif 000007